(57)【特許請求の範囲】
【請求項１】
看護師或いは介護人を呼び出すための呼出子機を、横方向に平行に配設された上下一対の手摺に着脱自在に取り付ける為の呼出子機アタッチメントであって、
上部に上側の手摺を把持して呼出子機アタッチメントの本体を垂下可能とする把持部を設けると共に、前記本体の下方背部に下側の手摺に当接する当接部を設け、前記本体の略中央前面に前記呼出子機を取り付ける呼出子機収容部を備えて成ることを特徴とする呼出子機アタッチメント。
【請求項２】
前記把持部は、前記本体の上端を円弧状に折り曲げ、下側に手摺挿入部を開放形成して成ることを特徴とする請求項１記載の呼出子機アタッチメント。
【請求項３】
前記把持部、前記当接部のうち少なくとも前記把持部が、手摺に対して滑りを防止する滑り防止部材を備えて成ることを特徴とする請求項１又は２記載の呼出子機アタッチメント。
【請求項４】
看護師或いは介護人を呼び出すための呼出子機と、前記呼出子機からの呼び出しを報知する親機とを有する呼出システムであって、
前記呼出子機は、横方向に平行に配設された上下一対の手摺に請求項１乃至３の何れかの呼出子機アタッチメントを介して取付られ、前記呼出子機アタッチメントは、更に前記呼出子機に接続されて手摺から外れたことを検知する外れ検知手段を有し、前記呼出子機アタッチメントが手摺から外れたら前記呼出子機から前記親機に信号を出力し、前記親機にて発報可能としたことを特徴とする呼出システム。
【請求項５】
前記呼出子機は、前記外れ検知手段が外れを検知してから一定時間外れを検知し続けたら前記親機にて発報させるためのタイマー回路を有することを特徴とする請求項４記載の呼出システム。
【発明の詳細な説明】
【技術分野】
【０００１】
本発明は、車椅子用トイレ等に設置された手摺に呼出子機を取り付ける為の呼出子機アタッチメント、及び呼出子機アタッチメントを使用した呼出システムに関する。
【背景技術】
【０００２】
病院や介護施設には、患者や被介護人が看護師や介護人を呼び出すための呼出子機が各ベッドや浴室、トイレ等に設置されている。従来の呼出子機は、ベッドに横になった状態でも操作しやすいように握りボタンとして構成したもの、壁面に固定設置されたもの、天井から紐をぶら下げて、引っ張り操作で呼び出し可能としたものがある。
このうち、車椅子用のトイレや身体障害者用のトイレに設置する呼出子機としては特許文献１に示す構成のものがある。これは、手摺に装着可能に構成され、壁面に比べて患者等の手が届きやすい手摺に装着することで呼出操作をし易くしている。
【特許文献１】特開２００３−１３５３１５号公報
【発明の開示】
【発明が解決しようとする課題】
【０００３】
しかし、上記特許文献１の呼出子機は、手摺専用であるため、他の場所に設置する呼出子機と兼用させることができずコスト高となっていた。
そこで、本発明はこの問題点に鑑み、既存の呼出子機を車椅子用又は身体障害者用のトイレに設置されている手摺に取り付けることが可能な呼出子機アタッチメント、及びこの呼出子機アタッチメントを使用した呼出システムを提供することを目的としている。
【課題を解決するための手段】
【０００４】
上記課題を解決する為に、請求項１に記載の発明は、看護師或いは介護人を呼び出すための呼出子機を、横方向に平行に配設された上下一対の手摺に着脱自在に取り付ける為の呼出子機アタッチメントであって、上部に上側の手摺を把持して呼出子機アタッチメントの本体を垂下可能とする把持部を設けると共に、本体の下方背部に下側の手摺に当接する当接部を設け、本体の略中央前面に呼出子機を取り付ける呼出子機収容部を備えて成ることを特徴とする。
この構成により、呼出子機アタッチメントは上下の手摺に跨るように設置されるので、手摺の周りで回転するようなことが無く、組み付けた呼出子機を良好に操作できる。また、上部を上側の手摺に取り付けるだけなので容易な着脱操作が可能となり、使用する患者等の状況に応じて左右の手摺に付け替えをスムーズに行うことが可能となる。従って、従来の呼出子機を車椅子用または身体障害者用のトイレに設置されている手摺等に取り付けて使用することが可能となる。
【０００５】
請求項２の発明は、請求項１に記載の発明において、把持部は、本体の上端を円弧状に折り曲げ、下側に手摺挿入部を開放形成して成ることを特徴とする。
この構成により、手摺に引っ掛けるような簡単な操作で把持部に手摺を把持させることができ、呼出子機アタッチメントの取付操作が容易である。
【０００６】
請求項３の発明は、請求項１又は２に記載の発明において、把持部、当接部のうち少なくとも把持部が、手摺に対して滑りを防止する滑り防止部材を備えて成ることを特徴とする。
この構成により、手摺に対して滑ることが無く、安心して操作できる。
【０００７】
請求項４の発明は、看護師或いは介護人を呼び出すための呼出子機と、呼出子機からの呼び出しを報知する親機とを有する呼出システムであって、呼出子機は、横方向に平行に配設された上下一対の手摺に請求項１乃至３の何れかに記載の呼出子機アタッチメントを介して取付られ、呼出子機アタッチメントは、更に呼出子機に接続されて手摺から外れたことを検知する外れ検知手段を有し、呼出子機アタッチメントが手摺から外れたら呼出子機から親機に信号を出力し、親機にて発報可能としたことを特徴とする。
この構成により、呼出子機アタッチメントが外れた場合、親機側で報知動作するので、いたずらによって外された場合等、看護師等の管理者は速やかにそれを知ることができ、素早い対応が可能となる。
【０００８】
請求項５の発明は、請求項４に記載の発明において、呼出子機は、外れ検知手段が外れを検知してから一定時間外れを検知し続けたら親機にて発報させるためのタイマー回路を有することを特徴とする。
この構成により、子機アタッチメントを付け直したり、左右の手摺に対して付け替える場合等、必要な取り外し操作をする程度の時間の間は外れ検知手段が外れを検知しても親機にて発報動作しないようにでき、安心して着脱操作できる。
【発明の効果】
【０００９】
本発明によれば、従来の呼出子機を車椅子用または身体障害者用のトイレに設置されている手摺等に取り付けることができる。そして、呼出子機アタッチメントは上下の手摺に跨るように設置されるので手摺を中心に回転するようなことが無く呼出子機を良好に操作できる。また、着脱自在なため、使用する患者等の状況に応じて左右の手摺に付け替えを容易に行うことができる。
また、呼出子機アタッチメントが外れた場合、親機で報知動作するので、いたずらによって外された場合等、看護師等の管理者は速やかにそれを知ることができ、素早い対応が可能となる。
【発明を実施するための最良の形態】
【００１０】
以下、本発明を具体化した実施の形態を、図面に基づいて詳細に説明する。図１、図２は本発明に係る呼出子機アタッチメントの一例を示し、図１（ａ）は看護師或いは介護人等を呼び出すための呼出子機を取り付けた状態の正面図、図１（ｂ）はその右側面図、図２は呼出子機アタッチメント単体の正面図を示し、１は呼出子機アタッチメント（以下、単にアタッチメントとする）、２は呼出子機、３は手摺である。
尚、取付対象の手摺３は、Ｕ字状に折り曲げ形成されて水平向に平行に配設された上下一対から構成されたもので、車椅子用や身体障害者用のトイレにはこの形状の手摺が広く設置されている。
【００１１】
アタッチメント１は、板状に形成されたアタッチメント本体である前面板１ａの略中央に呼出子機２の本体を収容する呼出子機収容部６を有し、上部には上側の手摺に取り付けるための把持部１０が形成されている。また、前面板１ａ下部の背部には下側の手摺に当接する当接部１１が設けられ、全体は合成樹脂により一体成形で作製されている。
呼出子機収容部６は、前面板１ａを後方に膨出することで前面板１ａに箱状の凹部を形成して設け、その上下近傍の前面には収容した呼出子機２の本体をビス止めするためのネジ孔７が設けられている。この呼出子機収容部６は、スイッチボックスの内部空間と同程度の空間を有し、その背面６ａには配線を挿通するための穴８が設けられている。
【００１２】
把持部１０は、前面板１ａの上端を後方に丸めるように円弧状に形成され、図１（ｂ）に示すように、手摺３にほぼ等しい曲率で形成され、下方が手摺３の径より僅かに狭い幅で開放され、半筒状に形成されている。そして、把持部１０の前面側中央は大きく開口形成されて、左右２箇所で手摺３を支持するよう形成され、把持部１０の背部は左右端部が切り欠かれ中央部で手摺３を支持するように形成され、前後の略３点で手摺３を支持して安定して把持するように形成されている。また、下方の当接部１１は呼出子機収容部６の下方に平坦な面で形成されている。
そして、把持部１０内側の手摺当接部上部には、滑り防止部材としてのゴム片１２が左右２箇所に貼着されている。
【００１３】
図３は、呼出子機２の取り付け方を示す斜視説明図であり、装着される呼出子機２は、従来壁面等に埋設したスイッチボックスを利用して壁面に取り付けられる形態のもので、呼出子機の本体２ａと、呼出ボタンの操作部を一体形成したカバー板２ｂから形成されている。呼出子機の本体２ａの前面には中央部に呼出ボタン１３が配置され、上下端部にはビス止め用の孔１４が設けられている。また、中央背部には回路収容部１５が突出形成され、内部には呼出信号を生成して送出するための回路が組み込まれている。このような構成の呼出子機２は、例えばアイホン株式会社製ＵＢＲ−７Ｗ、ＳＣＷ−９、ＳＣＷ−Ｂ２Ｗ等の呼出ボタンが該当し、何れも上記アタッチメントに取り付けて使用できる。
【００１４】
このように形成された呼出子機２は、図３に示すように、まず呼出子機本体２ａの回路収容部１５を呼出子機収容部６に収容する。スイッチボックスに取り付ける場合と同様に孔１４を介してビス１７をアタッチメント１のネジ孔７に螺入して固定される。その後、カバー板２ｂでその前面を覆うことで取り付けられる。カバー板２ｂは、周囲に呼出子機本体２ａに係止する係止片を有し、圧接することで容易に装着できる。
また、図４は呼出子機２を取り付けたアタッチメント１の背面図であり、呼出子機２から信号を送出するための配線１８は、呼出子機収容部６の背面６ａに形成した穴８から引き出される。
【００１５】
こうして呼出子機２を取り付けたアタッチメント１は、手摺３に取り付けられる。取り付け操作は、把持部１０の開放されている下部を上段の手摺３に被せるように押しつければ、把持部１０の開放部が手摺３の直径より狭くても把持部１０の弾性により拡開されて手摺３が挿入され、把持される。その後、前面板１ａを垂下させて、下部当接部１１を下段の手摺３に当接させる。
【００１６】
このように、呼出子機アタッチメントは上下の手摺に跨るように設置されるので、手摺の周りで回転するようなことが無く、組み付けた呼出子機を良好に操作できる。また、上部を上側の手摺に取り付けるだけなので着脱操作が容易であり、使用する患者等の状況に応じて左右の手摺に付け替えをスムーズに行うことが可能となる。従って、従来の呼出子機を車椅子用または身体障害者用のトイレに設置されている手摺等に取り付けて使用することが可能となる。
また、把持部を下部を開放した半筒状に形成することで、手摺に引っ掛けるような簡単な操作で把持部に手摺を把持させることができ、呼出子機アタッチメントの取付操作が容易であるし、把持部を合成樹脂により手摺に合致する曲率で形成することで、合成樹脂の持つ適度な弾性により手摺を良好に把持できる。
更に、把持部は略３点で手摺を把持するので、僅かな凹凸があってもガタツキなく把持できる。
【００１７】
図５は本発明に係る呼出システムを示す概略図であり、２０は呼出子機２の配線を接続する壁面に設置されたアダプタ、２１は呼出子機２からの呼び出しを報知する親機を示している。また、２２はアタッチメント１が手摺３から外れたのを検知する外れ検知手段としての電極を示している。電極２２は、把持部１０内側の手摺当接部前面側の左右２箇所に貼着されている。この電極２２は、例えばカーボンを混合して導電性を持たせたゴム板が使用され、取り付けた呼出子機２の専用端子に図示しない接続線で接続され、僅かな電流が手摺３を介して両電極２２，２２間に流れるように形成されている。こうして、手摺３が外れて電流が流れなくなったら、手摺から外れたと認識するよう構成されている。
【００１８】
この場合の呼出子機２は図６に示すような回路構成となっている。図６はアタッチメントを含む回路ブロック図を示し、呼出子機２は、呼出ボタン１３、復旧ボタン２４、呼出子機２を制御する子機ＣＰＵ２５、親機２１へ信号を送出するためのアダプタＩＦ２６、電極（外れ検知手段）２２からの信号を受けて所定時間カウントするタイマー回路２７を有し、アタッチメント１に設けられた電極２２はタイマー回路２７に接続される。
そして、呼出子機２から伸びた配線１８は壁面に設けたアダプタ２０に接続され、アダプタ２０はナースステーション等の看護師や介護人の詰め所に設けられた親機２１に接続されている。
【００１９】
このように構成された呼出システムは次のように動作する。呼出ボタン１３が押されたら、子機ＣＰＵ２５はそれを検知して、アダプタＩＦ２６を介して親機２１に向けて呼出信号を送出する。アダプタ２０を介して接続された親機２１は、この信号を受けて図示しないランプを点灯させたりブザーを鳴動させて呼び出しを報知する。そして、この呼び出しを受けて呼び出しがなされたトイレまで駆けつけた看護師等の担当者は、復旧ボタン２４を押すことで、呼び出しがリセットされる。
【００２０】
また、アタッチメント１に設けた電極は次のように作用する。アタッチメント１が手摺３に装着された状態では、一対の電極２２，２２の間は金属から成る手摺を介して接続されるので通電状態にあり、タイマー回路２７は通電を検知して装着状態にあることを認識する。そして、アタッチメント１が手摺３から外れると通電は停止するので、タイマー回路２７はそれを検知して外れたことを認識する。その場合、タイマー動作を開始し、所定の時間が経過しても外れた状態であることを検知し続けたら外れ信号を子機ＣＰＵ２５に出力する。子機ＣＰＵ２５はこの信号を受けて、呼出信号と同様に親機２１に向けて信号を送出し、親機２１は報知動作する。
【００２１】
尚、このとき送出される信号は、呼出信号とは異なる信号であれば親機２１側で呼出子機アタッチメント１が外れたことを速やかに認識できるので好ましいが、呼出信号と同一の信号であっても良く、応対する看護師等が現場まで出かけることで認識できる。
また、外れ検知手段を電極で形成しているが、手摺に取り付けることで動作する接点スイッチや近接スイッチを用いても良い。
【００２２】
このように、呼出子機アタッチメントが外れた場合、親機側で報知動作するので、いたずらによって外された場合等、看護師や介護人等は速やかにそれを知ることができ、素早い対応が可能となる。
また、呼出子機アタッチメントを付け直したり、左右の手摺に対して付け替える場合等、必要な取り外し操作をする程度の時間の間は外れ検知手段が動作しても親機にて警報動作しないようにでき、安心して着脱操作できる。
【００２３】
尚、何れの実施形態も、呼出子機アタッチメントの把持部１０は、後方に折り曲げて手摺に合わせた曲率を設け、下方から挿入した手摺を把持部の弾性により把持する構成となっているが、単に略Ｕ字状或いはコ字状に折り曲げて、材質による弾性を利用しない形状としても良い。
また、滑り防止部材としてゴム片１２を把持部１０のみに設けているが、当接部１１にも合わせて設けても良い。
【図面の簡単な説明】
【００２４】
【図１】本発明に係る呼出子機アタッチメントの実施形態の一例を示し、（ａ）は呼出子機アタッチメントに呼出子機を装着した状態の正面図、（ｂ）は同右側面図である。
【図２】図１の呼出子機アタッチメント単体の正面図である。
【図３】呼出子機アタッチメントへの呼出子機の取り付け方を示す斜視説明図である。
【図４】呼出子機を取り付けた状態の呼出子機アタッチメントの背面図である。
【図５】本発明の呼出システムの概略図である。
【図６】図５の呼出子機アタッチメントに装着した呼出子機の回路ブロック図である。
【符号の説明】
【００２５】
１・・呼出子機アタッチメント、２・・呼出子機、３・・手摺、６・・呼出子機収容部、１０・・把持部、１１・・当接部、１２・・ゴム片（滑り防止部材）、２１・・親機、２２・・電極（外れ検知手段）、２７・・タイマー回路。
【図１】
0004654080.tif 000002
【図２】
0004654080.tif 000003
【図３】
0004654080.tif 000004
【図４】
0004654080.tif 000005
【図５】
0004654080.tif 000006
【図６】
0004654080.tif 000007